Podtech/llm-jp-corpus-v4-ja_patent huggingface dataset:
(57)【要約】【課題】本発明は、単位部材を用いた雨水貯留浸透施設の免震性向上の提案である。【解決手段】本発明は、矩形状の平板部に開口する１以上の脚部を有するテーブル状部材を地下に配列することで貯留空間を形成した雨水等の貯留浸透施設において、前記テーブル状部材を配列するときの脚部の突き合せ部及び平板部の重なり部にゴム弾性を有するシートを挿入した免震性を高めた雨水等の貯留浸透施設である。ゴム弾性のシートが地震時の衝撃を吸収し、地震後も機能を損なうことなく使用が可能となる。【選択図】図１
2010048011.tif 000002
【特許請求の範囲】
【請求項１】
矩形状の平板部に開口する１以上の脚部を有するテーブル状部材を地下に配列することで貯留空間を形成した雨水等の貯留浸透施設において、前記テーブル状部材を配列するときの脚部の突き合せ部及び平板部の重なり部にゴム弾性を有するシートを挿入した免震性を高めた雨水等の貯留浸透施設。
【発明の詳細な説明】
【技術分野】
【０００１】
本発明は、雨水等の貯留浸透施設の免震技術に属する。
【背景技術】
【０００２】
雨水等の流出抑制を目的として、プラスチックなどで製造された単位部材を地下に配列充填しその周囲を適宜シートで覆った雨水貯留浸透施設が普及している。この目的のため各種の異なる形状の単位部材が例えば特開昭62-101097、特開昭62-126179、特開平9-296486、特開平10-252108、特開平10-115778、特開平11-43971、特開平11-222886などに提案且つ使用されている。いずれの方法も単位部材を地下に配列し、その周囲を透水性若しくは遮水性のシートで包み、その内部空間に雨水等を貯留する浸透貯留施設とするものであった。
地震時においても上記雨水等の貯留浸透施設が機能を失わず使用可能とする免震性を高める方法が求められている。
【０００３】
【特許文献１】特開昭62-101097
【特許文献２】特開昭62-126179
【特許文献３】特開平9-296486
【特許文献４】特開平10-252108
【特許文献５】特開平10-115778
【特許文献６】特開平11-43971
【特許文献７】特開平11-222886
【発明の開示】
【発明が解決しようとする課題】
【０００４】
本発明は、テーブル状部材を用いた雨水貯留浸透施設の免震性向上の提案である。
【課題を解決するための手段】
【０００５】
本発明は、矩形状の平板部に開口する１以上の脚部を有するテーブル状部材を地下に配列することで貯留空間を形成した雨水等の貯留浸透施設において、前記単位部材を配列するときの脚部の突き合せ部及び平板部の重なり部にゴム弾性を有するシートを挿入した免震性を高めた雨水等の貯留浸透施設である。テーブル状部材の組み合わせ部である脚部の突き合せ部及び平板部の重なり部にゴム弾性のシートを挿入することで免震性を向上させた。
【発明の効果】
【０００６】
本発明は、テーブル状部材を配列するときの脚部の突き合せ部及び平板部の重なり部にゴム弾性を有するシートを挿入したため、地震時の衝撃がゴム弾性を有するシートに吸収される。そのため地震直後においても貯留浸透槽としての機能を失わず使用に供することができる。また、貯留槽で雨水利用を目的とする槽においては非常用水の確保ともなる。
【発明を実施するための最良の形態】
【０００７】
以下、本発明を図によって、より詳細に説明する。
図１は、テーブル状部材を配列するときの脚部の突き合せ部及び平板部の重なり部にゴム弾性を有するシートを挿入した状態を示す概念図である。
テーブル状部材は脚部を突き合せた状態を単位として、この単位を上下左右に配列することが基本である。テーブル状部材の脚部を下に向けて平面的に配列することも可能であるが脚部を突き合せた状態で使用することが好ましい。
【０００８】
図１は、ゴム弾性を有するシートの挿入部を、ハッチングを施すことで示している。上述したように、地震時に衝撃が加わる脚部突き合せ部及び平板部の合わせ部にゴム弾性を有するシートが挿入されている。また、脚部突き合せ部はそれぞれの脚部の底面に雄継ぎ手雌継ぎ手が設けられ互いに係合可能とされている。そのため脚部突き合せ部に挿入されるシートにはその雄継ぎ手が挿入可能なように4箇所の孔が設けられている。
平板部には平板部に開口する脚部の孔より少し大きめの孔を設けたシートが挿入される。
【０００９】
図２は、図1に示した挿入するゴム弾性を有するシートの形状を示す。
図では脚部が4個のテーブル状部材を用いているため、平板部に挿入するシートには4個の脚部の開口部に相当する孔が開いている。脚部の突き合せ部には円形状のシートが挿入され、脚部に設けた接続具に対応する箇所に孔が設けられている。本例では各脚部に２個の雄継ぎ手部及び２個の雌継ぎ手部が設けられているため４個の孔が設けられている。使用するテーブル状部材の脚部の数、脚部の形状に応じて使用されるシートの形状及び孔の数など適宜変更される。
【００１０】
図３は、テーブル状部材の一例であり、脚部の数は１個以上設けられる。脚部の形状は戴円錐形状であっても、戴多角錐形状であってもまた他の形状であってもよい。好ましくは互いに入れ子状に組み込まれて、運搬貯蔵の体積を減じられるものであればよい。
【００１１】
テーブル状部材を上下左右に配列し、その側面を適宜壁材で覆うことで貯留空間を形成する。
図４に示すように、その貯留空間をシートで覆い土砂の貯留空間への侵入を防止し、流入管、流出管、溢流管、泥だめます、人孔、オリフィスますなど必要に応じた付帯設備を設けて雨水等の貯留浸透施設として使用できることは従来の単位部材と同様である。シートも浸透槽として使用する場合は透水シート、地下水の浸入を防止あるいは貯留した雨水等を有効利用する場合には遮水シートを用いることも同様である。
【００１２】
テーブル状部材の材質は従来の単位部材を用いる方法と同様ポリプロピレンなどの射出成形可能なポリオレフィンあるいはステンレススチールなどの金属製とすることができる。シートはゴムあるいはエラストマーなどの弾性のある部材をテーブル状部材の脚部の形状、平板部の形状に合わせ適宜使用可能である。
【図面の簡単な説明】
【００１３】
【図１】本発明のテーブル状部材を配列した間にゴム弾性のシートが挿入された状態を示す概念図である。
【図２】ゴム弾性のシートの詳細を示す概念図である。
【図３】本発明に使用するテーブル状部材の概念図である。
【図４】本発明のテーブル状部材を用いた雨水等の貯留浸透槽の概念図である。
【符号の説明】
【００１４】
１  テーブル状部材
２  平板部
３  脚部
４  平板部用シート
５  脚部用シート
【図１】
2010048011.tif 000003
【図２】
2010048011.tif 000004
【図３】
2010048011.tif 000005
【図４】
2010048011.tif 000006